(57)【要約】      （修正有）【課題】塵や埃が蓄積され難く、または塵や埃、汚れを簡単に除去することができる非接触伝達システム送出装置及び受取装置を提供する。【解決手段】信号および電力を非接触で伝達する非接触伝達システムにおいて、送信受電装置１１と受信送電装置２１との間で信号および電力の伝達を行い際には、送信受電装置１１と受信送電装置２１とを、送信受電装置１１に設けられた各凸状係合部３１と、受信送電装置２１の枠形突出部３３に設けられた各溝３４とを係合し、それぞれのケーシング１２、２２の外部に開放された前面１３Ａ、２３Ａを互いに向かい合わせて結合する。【選択図】図１
2018046610.tif 000002
【特許請求の範囲】
【請求項１】
信号または電力を非接触で送る第１の装置と、前記第１の装置から送られた信号または電力を非接触で受け取る第２の装置とを備えた非接触伝達システムであって、
前記第１の装置は、
信号または電力を前記第２の装置へ非接触で出力する出力回路部と、
内部に前記出力回路部を収容し、かつ外部に開放された前面には、前記出力回路部から出力された信号または電力を送る送出領域が形成された第１のケーシングとを備え、
前記第２の装置は、
外部に開放された前面に、前記第１の装置から送られた信号または電力を受け取る受取領域が形成された第２のケーシングと、
前記第２のケーシング内に収容され、前記受取領域において受け取られた信号または電力が非接触で入力される入力回路部とを備え、
前記第１のケーシングおよび前記第２のケーシングには、前記送出領域の位置と前記受取領域の位置とが一致するように前記第１のケーシングの前面と前記第２のケーシングの前面とを向かい合わせた状態で前記第１の装置と前記第２の装置とを着脱可能に結合する結合機構が設けられていることを特徴とする非接触伝達システム。
【請求項２】
前記結合機構は、
前記第１のケーシングおよび前記第２のケーシングのうちの一方のケーシングの左右方向両側の側面から側方にそれぞれ突出し、上下方向にそれぞれ伸長する一対の第１の係合部と、
前記第１のケーシングおよび前記第２のケーシングのうちの他方のケーシングの前面の左右方向両側の縁部または当該ケーシングの左右方向両側の側面から前方にそれぞれ突出し、上下方向にそれぞれ伸長し、左右方向内側を向いた面に前記第１の係合部が挿入される溝がそれぞれ形成された一対の第２の係合部とを備えていることを特徴とする請求項１に記載の非接触伝達システム。
【請求項３】
前記結合機構は、前記一対の第１の係合部が前記一対の第２の係合部に挿入された状態で前記第１の装置および前記第２の装置の一方が他方に対して上下方向に移動可能となるように前記第１の装置と前記第２の装置とを結合し、
前記結合機構は、前記送出領域の位置と前記受取領域の位置とが一致した状態で前記第１の装置および前記第２の装置の一方の他方に対する上下方向の移動を規制するロック機構を備えていることを特徴とする請求項２に記載の非接触伝達システム。
【請求項４】
前記各第１の係合部の幅および前記各第２の係合部の溝の幅は上下方向一方に向かうに連れてそれぞれ小さくなっていることを特徴とする請求項２または３に記載の非接触伝達システム。
【請求項５】
前記出力回路部および前記入力回路部は信号または電力を電磁誘導により伝達することを特徴とする請求項１ないし４のいずれかに記載の非接触伝達システム。
【請求項６】
前記出力回路部および前記入力回路部は信号または電力を光により伝達することを特徴とする請求項１ないし４のいずれかに記載の非接触伝達システム。
【請求項７】
前記出力回路部は電力を前記第２の装置へ電磁誘導により出力する電力出力回路部であり、
前記送出領域は前記電力出力回路部から出力された電力を送る電力送出領域であり、
前記受取領域は前記第１の装置から送られた電力を受け取る電力受取領域であり、
前記入力回路部は前記電力受取領域において受け取られた電力が電磁誘導により入力される電力入力回路であり、
前記第１の装置は信号を前記第２の装置へ光により出力する信号出力回路部を備え、
前記第１のケーシングの前面には前記信号出力回路部から出力された信号を送る信号送出領域が形成され、
前記第２のケーシングの前面には前記第１の装置から送られた信号を受け取る信号受取領域が形成され、
前記第２の装置は前記信号受取領域において受け取られた信号が光により入力される信号入力回路部を備えていることを特徴とする請求項１ないし４のいずれかに記載の非接触伝達システム。
【請求項８】
前記出力回路部は電力を前記第２の装置へ電磁誘導により出力する電力出力回路部であり、
前記送出領域は前記電力出力回路部から出力された電力を送る電力送出領域であり、
前記受取領域は前記第１の装置から送られた電力を受け取る電力受取領域であり、
前記入力回路部は前記電力受取領域において受け取られた電力が電磁誘導により入力される電力入力回路であり、
前記第２の装置は信号を前記第１の装置へ光により出力する信号出力回路部を備え、
前記第２のケーシングの前面には前記信号出力回路部から出力された信号を送る信号送出領域が形成され、
前記第１のケーシングの前面には前記第２の装置から送られた信号を受け取る信号受取領域が形成され、
前記第１の装置は前記信号受取領域において受け取られた信号が光により入力される信号入力回路部を備えていることを特徴とする請求項１ないし４のいずれかに記載の非接触伝達システム。
【請求項９】
信号または電力を受取装置へ非接触で送る送出装置であって、
信号または電力を前記受取装置へ非接触で出力する出力回路部と、
内部に前記出力回路部を収容し、かつ外部に開放された前面には、前記出力回路部から出力された信号または電力を送る送出領域が形成されたケーシングとを備え、
前記ケーシングには、前記受取装置のケーシングの前面に形成された当該送出装置から送られた信号または電力を受け取る受取領域の位置と前記送出領域の位置とが一致するように当該送出装置のケーシングの前面と前記受取装置のケーシングの前面とを向かい合わせた状態で当該送出装置と前記受取装置とを着脱可能に結合する結合機構が設けられていることを特徴とする送出装置。
【請求項１０】
送出装置から送られた信号または電力を非接触で受け取る受取装置であって、
外部に開放された前面に、前記送出装置から送られた信号または電力を受け取る受取領域が形成されたケーシングと、
前記ケーシング内に収容され、前記受取領域において受け取られた信号または電力が非接触で入力される入力回路部とを備え、
前記ケーシングには、前記送出装置のケーシングの前面に形成された信号または電力を送る送出領域の位置と前記受取領域の位置とが一致するように当該受取装置のケーシングの前面と前記送出装置のケーシングの前面とを向かい合わせた状態で当該受取装置と前記送出装置とを着脱可能に結合する結合機構が設けられていることを特徴とする受取装置。
【発明の詳細な説明】
【技術分野】
【０００１】
本発明は、信号または電力を非接触で伝達する非接触伝達システム、並びに当該非接触伝達システムにおける送出装置および受取装置に関する。
【背景技術】
【０００２】
下記の特許文献１には、電磁誘導を利用して信号および電力を伝達する非接触コネクタが記載されている。この非接触コネクタは、レセプタクルにプラグを接続する構成として、レセプタクルのハウジングに形成された装着凹部に、プラグのハウジングに形成された装着部を挿入して嵌合する構成を有している。
【先行技術文献】
【特許文献】
【０００３】
【特許文献１】特開２０１５−１０３７７１号公報
【発明の概要】
【発明が解決しようとする課題】
【０００４】
ところで、特許文献１に記載された非接触コネクタにおいて、レセプタクルのハウジングの装着凹部は、同文献の図３および図５を見るとわかる通り、一端側が開口し、他端側が閉塞した断面矩形状の筒状に形成されている。すなわち、装着凹部は、プラグを挿入して嵌合するための穴である。このため、装着凹部内の底面等に塵や埃が蓄積され易い。また、装着凹部内は、開口した一端側を除いて壁面で囲まれているため、装着凹部内に手や指を差し入れても、手や指が底面に届かない場合がある。それゆえ、装着凹部内の底面に蓄積された塵や埃を手や指で払い除けることが難しく、または、装着凹部内の底面や装着凹部内の壁面の奥の方に付着した汚れを布等で拭き取ることが困難である。
【０００５】
本発明は例えば上述したような問題に鑑みなされたものであり、本発明の課題は、塵や埃が蓄積され難く、または塵や埃、汚れを簡単に除去することができる非接触伝達システム、送出装置および受取装置を提供することにある。
【課題を解決するための手段】
【０００６】
上記課題を解決するために、本発明の非接触伝達システムの一態様は、信号または電力を非接触で送る第１の装置と、第１の装置から送られた信号または電力を非接触で受け取る第２の装置とを備えた非接触伝達システムであって、第１の装置は、信号または電力を第２の装置へ非接触で出力する出力回路部と、内部に出力回路部を収容し、かつ外部に開放された前面には、出力回路部から出力された信号または電力を送る送出領域が形成された第１のケーシングとを備え、第２の装置は、外部に開放された前面に、第１の装置から送られた信号または電力を受け取る受取領域が形成された第２のケーシングと、第２のケーシング内に収容され、受取領域において受け取られた信号または電力が非接触で入力される入力回路部とを備え、第１のケーシングおよび第２のケーシングには、送出領域の位置と受取領域の位置とが一致するように第１のケーシングの前面と第２のケーシングの前面とを向かい合わせた状態で第１の装置と第２の装置とを着脱可能に結合する結合機構が設けられている。
【０００７】
本発明のこの態様では、信号または電力を送る送出領域が、第１の装置のケーシングにおいて外部に開放された前面に形成されており、信号または電力を受け取る受取領域が、第２の装置のケーシングにおいて外部に開放された前面に形成されている。そして、第１の装置から第２の装置へ信号または電力を伝達する際には、送出領域の位置と受取領域の位置とが一致するように第１の装置のケーシングの前面と第２の装置のケーシングの前面とを向かい合わせるように第１の装置と第２の装置とを結合する。このように、本発明の上記態様は、第１の装置と第２の装置との間で信号または電力の伝達が可能な状態を形成するために、第１の装置および第２の装置のうちの一方に形成された穴に他方を挿入して嵌合する構成を備えていない。したがって、穴の底面に塵や埃が蓄積されるといった問題を解決することができ、塵や埃が蓄積され難い非接触伝達システムを実現することができる。また、穴の底面に蓄積された塵や埃、あるいは穴内の奥の壁面に付着した汚れを除去し難いといった問題を解決することができ、塵や埃、汚れを簡単に除去できる非接触伝達システムを実現することができる。
【０００８】
また、上述した本発明の非接触伝達システムの態様において、結合機構は、第１のケーシングおよび第２のケーシングのうちの一方のケーシングの左右方向両側の側面から側方にそれぞれ突出し、上下方向にそれぞれ伸長する一対の第１の係合部と、第１のケーシングおよび第２のケーシングのうちの他方のケーシングの前面の左右方向両側の縁部または当該ケーシングの左右方向両側の側面から前方にそれぞれ突出し、上下方向にそれぞれ伸長し、左右方向内側を向いた面に第１の係合部が挿入される溝がそれぞれ形成された一対の第２の係合部とを備えていることが好ましい。この場合、結合機構は、一対の第１の係合部が一対の第２の係合部に挿入された状態で第１の装置および第２の装置の一方が他方に対して上下方向に移動可能となるように第１の装置と第２の装置とを結合し、結合機構は、送出領域の位置と受取領域の位置とが一致した状態で第１の装置および第２の装置の一方の他方に対する上下方向の移動を規制するロック機構を備えていることが好ましい。また、各第１の係合部の幅および各第２の係合部の溝の幅は上下方向一方に向かうに連れてそれぞれ小さくなっていることが好ましい。
【０００９】
また、上述した本発明の非接触伝達システムの態様において、出力回路部および入力回路部は信号または電力を電磁誘導により伝達する構成とすることができる。
【００１０】
また、上述した本発明の非接触伝達システムの態様において、出力回路部および入力回路部は信号または電力を光により伝達する構成としてもよい。
【００１１】
また、上述した本発明の非接触伝達システムの態様において、出力回路部は電力を第２の装置へ電磁誘導により出力する電力出力回路部であり、送出領域は電力出力回路部から出力された電力を送る電力送出領域であり、受取領域は第１の装置から送られた電力を受け取る電力受取領域であり、入力回路部は電力受取領域において受け取られた電力が電磁誘導により入力される電力入力回路であり、第１の装置は信号を第２の装置へ光により出力する信号出力回路部を備え、第１のケーシングの前面には信号出力回路部から出力された信号を送る信号送出領域が形成され、第２のケーシングの前面には第１の装置から送られた信号を受け取る信号受取領域が形成され、第２の装置は信号受取領域において受け取られた信号が光により入力される信号入力回路部を備えている構成としてもよい。
【００１２】
また、上述した本発明の非接触伝達システムの態様において、出力回路部は電力を第２の装置へ電磁誘導により出力する電力出力回路部であり、送出領域は電力出力回路部から出力された電力を送る電力送出領域であり、受取領域は第１の装置から送られた電力を受け取る電力受取領域であり、入力回路部は電力受取領域において受け取られた電力が電磁誘導により入力される電力入力回路であり、第２の装置は信号を第１の装置へ光により出力する信号出力回路部を備え、第２のケーシングの前面には信号出力回路部から出力された信号を送る信号送出領域が形成され、第１のケーシングの前面には第２の装置から送られた信号を受け取る信号受取領域が形成され、第１の装置は信号受取領域において受け取られた信号が光により入力される信号入力回路部を備えている構成としてもよい。
【００１３】
上記課題を解決するために、本発明の送出装置の一態様は、信号または電力を受取装置へ非接触で送る送出装置であって、信号または電力を受取装置へ非接触で出力する出力回路部と、内部に出力回路部を収容し、かつ外部に開放された前面には、出力回路部から出力された信号または電力を送る送出領域が形成されたケーシングとを備え、ケーシングには、受取装置のケーシングの前面に形成された当該送出装置から送られた信号または電力を受け取る受取領域の位置と送出領域の位置とが一致するように当該送出装置のケーシングの前面と受取装置のケーシングの前面とを向かい合わせた状態で当該送出装置と受取装置とを着脱可能に結合する結合機構が設けられている。
【００１４】
上記課題を解決するために、本発明の受取装置の一態様は、送出装置から送られた信号または電力を非接触で受け取る受取装置であって、外部に開放された前面に、送出装置から送られた信号または電力を受け取る受取領域が形成されたケーシングと、ケーシング内に収容され、受取領域において受け取られた信号または電力が非接触で入力される入力回路部とを備え、ケーシングには、送出装置のケーシングの前面に形成された信号または電力を送る送出領域の位置と受取領域の位置とが一致するように当該受取装置のケーシングの前面と送出装置のケーシングの前面とを向かい合わせた状態で当該受取装置と送出装置とを着脱可能に結合する結合機構が設けられている。
【発明の効果】
【００１５】
本発明によれば、塵や埃が蓄積され難く、または、塵や埃が蓄積され、あるいは汚れが付着した場合でもそれらを簡単に除去することができる非接触伝達システム、送出装置または受取装置を実現することができる。
【図面の簡単な説明】
【００１６】
【図１】本発明の実施形態の非接触伝達システムを示す外観図である。
【図２】本発明の実施形態の非接触伝達システムにおける送信受電装置を示す分解図である。
【図３】上方から見た本発明の実施形態の非接触伝達システムにおける送信受電装置を示す外観図である。
【図４】側方から見た本発明の実施形態の非接触伝達システムにおける送信受電装置を示す外観図である。
【図５】本発明の実施形態の非接触伝達システムにおける受信送電装置を示す分解図である。
【図６】上方から見た本発明の実施形態の非接触伝達システムにおける受信送電装置を示す外観図である。
【図７】図６中の矢示ＶＩＩ−ＶＩＩ方向から見た本発明の実施形態の非接触伝達システムにおける受信送電装置を示す断面図である。
【図８】本発明の実施形態の非接触伝達システムにおいて送信受電装置と受信送電装置との結合を示す説明図である。
【図９】本発明の実施形態の非接触伝達システムの回路構成を示すブロック図である。
【発明を実施するための形態】
【００１７】
（非接触伝達システム）
図１は本発明の実施形態の非接触伝達システム１を示している。図１において、非接触伝達システム１は送信受電装置１１および受信送電装置２１を備えている。送信受電装置１１は、信号を受信送電装置２１へ非接触で送ると共に、受信送電装置２１から送られた電力を非接触で受け取る機能を有している。一方、受信送電装置２１は、送信受電装置１１から送られた信号を非接触で受け取ると共に、電力を送信受電装置１１へ非接触で送る機能を有している。非接触伝達システム１は、非接触で、すなわち通常のコネクタのように金属の端子同士を接触させて両者間を導通させる方法ではない方法で信号および電力の伝達を行う。具体的には、非接触伝達システム１は信号を光により伝達し、電力を電磁誘導により伝達する。例えば、送信受電装置１１は、血流脈波センサから入力された患者の脈波等の信号を受信送電装置２１へ送り、受信送電装置２１は、送信受電装置１１から受け取った脈波等の信号を解析装置へ出力する。また、受信送電装置２１は、直流電源装置から供給された電力を送信受電装置１１へ送り、送信受電装置１１は、受信送電装置２１から送られた電力を血流脈波センサへ供給する。
【００１８】
（送信受電装置）
図２ないし図４は送信受電装置１１を示している。詳しくは、図２は送信受電装置１１の分解図であり、図３は送信受電装置１１を上方から見た図であり、図４は送信受電装置１１を右方から見た図である。図２に示すように、送信受電装置１１は、ケーシング１２と、信号を受信送電装置２１へ送る送信回路部４１と、受信送電装置２１から電力を受け取る受電回路部５４とを備えている。
【００１９】
ケーシング１２は、例えば樹脂材料により形成されており、ケーシング本体１３および蓋部１４を備えている。ケーシング本体１３は、前面１３Ａ、左面１３Ｂ（図３参照）、右面１３Ｃ、右面１３Ｄおよび下面１３Ｅを有し、後部が開口した箱状に形成されている。蓋部１４は板状に形成され、ケーシング本体１３の後部にねじ等により取り付けられ、ケーシング本体１３の後部を閉塞している。また、ケーシング１２の前下部は下方に突出するように湾曲している。また、ケーシング１２の後部は、送信受電装置１１を受信送電装置２１へ結合する際に利用者が送信受電装置１１を手で把持する把持部１５となっている。また、ケーシング１２内には、送信回路部４１および受電回路部５４が収容されている。また、図示を省略しているが、ケーシング本体１３および蓋部１４との間には、防水のためのシールリングが設けられている。
【００２０】
また、送信回路部４１には血流脈波センサからの信号を入力するためのケーブルが接続され、受電回路部５４には血流脈波センサへ電力を供給するためのケーブルが接続されている。図４に示すように、これらのケーブルは１本の複合ケーブル１６としてまとめられ、ケーシング１２の後下部に形成された図示しない挿通孔からケーシング１２の外へ伸長している。また、ケーシング１２には、複合ケーブル１６をケーシング１２に支持するキャップ１７が設けられ、キャップ１７内には挿通孔を防水するシールリングが取り付けられている。なお、送信受電装置１１と血流脈波センサとの接続方法は、複合ケーブル１６を用いて行う方法に限らず、他の方法でもよい。
【００２１】
また、ケーシング１２において、外部に開放された前面１３Ａは、信号を受信送電装置２１へ送り、電力を受信送電装置２１から受け取る伝達面としての機能を有している。図２に示すように、ケーシング１２の前面１３Ａにおいて、左右方向中間の上部には信号送出領域Ｓｔが形成されている。信号送出領域Ｓｔは、送信回路部４１から出力された、信号に対応する光が通る領域である。当該光は、送信回路部４１の発光素子４５から発せられ、信号送出領域Ｓｔの中心を通り、前面１３Ａに対して直交して前方へ進行する。光の進行経路がこのようになるように、ケーシング１２内において送信回路部４１の発光素子４５の配置が設定されている。また、前面１３Ａにおいて信号送出領域Ｓｔに対応する部分には光を透過させる光透過部１８が形成されている。例えば、ケーシング１２の前壁において信号送出領域Ｓｔに対応する部分には孔が形成され、当該孔には光透過性を有する板状の部材が取り付けられている。
【００２２】
また、ケーシング１２の前面１３Ａにおいて、左右方向中間の下部には電力受取領域Ｐｒが形成されている。電力受取領域Ｐｒは、受信送電装置２１から送られた、電力に対応する磁束を通す領域である。当該磁束は電力受取領域Ｐｒの中心を通り、ケーシング１２内へ入る。当該磁束が受電コイル５５（図９参照）へ入力されるように、ケーシング１２内において受電回路部５４の受電コイル５５の配置が設定されている。
【００２３】
（受信送電装置）
図５ないし図７は受信送電装置２１を示している。詳しくは、図５は受信送電装置２１の分解図であり、図６は受信送電装置２１を上方から見た図であり、図７は受信送電装置２１を左方から見た図である。図５に示すように、受信送電装置２１は、ケーシング２２と、送信受電装置１１から信号を受け取る受信回路部４６と、電力を送信受電装置１１へ送る送電回路部５１とを備えている。
【００２４】
ケーシング２２は、例えば樹脂材料により形成されており、ケーシング本体２３および蓋部２４を備えている。ケーシング本体２３は、前面２３Ａ、左面２３Ｂ、右面２３Ｃ（図６参照）、上面２３Ｄおよび下面２３Ｅを有し、後部が開口した箱状に形成されている。蓋部２４は板状に形成され、ケーシング本体２３の後部にねじ等により取り付けられ、ケーシング本体２３の後部を閉塞している。ケーシング２２内には、受信回路部４６および送電回路部５１が収容されている。また、図示を省略しているが、ケーシング本体２３および蓋部２４との間には、防水のためのシールリングが設けられている。
【００２５】
また、受信送電装置２１は、例えば解析装置の筐体に取り付けられる。ケーシング２２の後部は埋設部２５となっており、受信送電装置２１が解析装置の筐体に取り付けられたとき、埋設部２５は解析装置の筐体内に位置することとなる。また、ケーシング２２には、受信送電装置２１を解析装置の筐体にねじ等と用いて固定するためのフランジ部２６が設けられている。
【００２６】
また、受信回路部４６には解析装置へ信号を入力するためのケーブルが接続され、送電回路部５１には直流電源装置から供給される電力を受けるためのケーブルが接続されている。図７に示すように、これらのケーブルは１本の複合ケーブル２７としてまとめられ、ケーシング２２の後下部に形成された図示しない挿通孔からケーシング２２の外へ伸長している。また、ケーシング２２には、複合ケーブル２７をケーシング２２に支持するキャップ２８が設けられている。なお、受信回路部４６と解析装置との接続、および送電回路部５１と直流電源装置との接続は、それぞれ個別のケーブルを用いて行うのみでもよく、それらのケーブルを複合ケーブル２７としてまとめなくてもよい。また、これらの接続を、コネクタを用いて行ってもよいし、受信回路部４６を解析装置の基板に直接実装するといった方法で行ってもよい。
【００２７】
また、ケーシング２２において、外部に開放された前面２３Ａは、信号を送信受電装置１１から受け取り、電力を送信受電装置１１へ送る伝達面としての機能を有している。図５に示すように、ケーシング２２の前面２３Ａにおいて、左右方向中間の上部には信号受取領域Ｓｒが形成されている。信号受取領域Ｓｒは、送信受電装置１１から送られた、信号に対応する光を通す領域である。当該光は信号受取領域Ｓｒの中心を通り、ケーシング１２内へ入る。当該光が受光素子４７へ入力されるように、ケーシング１２内において受信回路部４６の受光素子４７の配置が設定されている。また、ケーシング２２の前面２３Ａにおいて信号受取領域Ｓｒに対応する部分には、送信受電装置１１と同様に、光を透過させる光透過部２９が形成されている。
【００２８】
また、ケーシング２２の前面２３Ａにおいて、左右方向中間の下部には電力送出領域Ｐｔが形成されている。電力送出領域Ｐｔは、送電回路部５１から出力された、電力に対応する磁束が通る領域である。当該磁束は、送電回路部５１の送電コイル５３（図９参照）から発せられ、電力送出領域Ｐｔの中心を通り、前面２３Ａに対して直交して前方へ進行する。磁束の進行経路がこのようになるように、ケーシング２２内において送電回路部５１の送電コイル５３の配置が設定されている。
【００２９】
（結合機構）
また、送信受電装置１１および受信送電装置２１は、両者間で信号および電力の伝達を行うために両者を着脱可能に結合する結合機構を備えている。結合機構は、図１に示すように、送信受電装置１１側に設けられた一対の凸状係合部３１および一対のロック突起部３２と、受信送電装置２１側に設けられた枠形突出部３３、一対の溝３４および一対のロック凹部３５とを備えている。結合機構は、一対の凸状係合部３１が一対の溝３４に挿入された状態で送信受電装置１１が受信送電装置２１に対して上下方向にスライド移動可能となるように送信受電装置１１と受信送電装置２１とを結合する。
【００３０】
また、結合機構の上記構成要素のうち、各ロック突起部３２および各ロック凹部３５はロック機構を構成する。ロック機構は、一対の凸状係合部３１が一対の溝３４に挿入されて送信受電装置１１が受信送電装置２１に対して下方にスライド移動している間に、信号送出領域Ｓｔの位置と信号受取領域Ｓｒの位置とが一致し、かつ電力送出領域Ｐｔの位置と電力受取領域Ｐｒの位置とが一致したとき、送信受電装置１１の受信送電装置２１に対する上下方向の移動を止め（規制し）、送信受電装置１１を受信送電装置２１に対してロックする。
【００３１】
結合機構について具体的に説明すると、送信受電装置１１において、一方の凸状係合部３１は、図３に示すように、ケーシング１２の左面１３Ｂの前部、具体的には前側縁部に形成され、左面１３Ｂから左方に突出している。また、他方の凸状係合部３１は、ケーシング１２の右面１３Ｃの前部、具体的には前側縁部に形成され、右面１３Ｃから右方に突出している。また、これら凸状係合部３１は、図２に示すように、上下方向にそれぞれ伸長している。詳細には、図４に示すように、各凸状係合部１３の前向きの面は、前面１３Ａと平行に上下方向にそれぞれ伸長している。一方、各凸状係合部３１の後ろ向きの面は下方に向かうに連れて前方に向かうように緩やかに傾斜しており、これにより、各凸状係合部３１の幅（前後方向の長さ）は下方に向かうに連れて漸次小さくなっている。
【００３２】
また、一方のロック突起部３２は、ケーシング１２の左面１３Ｂの前上部に形成され、左面１３Ｂから左方に突出している。また、当該ロック突起部３２は左側の凸状係合部３１の後面につながっている。また、他方のロック突起部３２は、ケーシング１２の右面１３Ｃの前上部に形成され、右面１３Ｃから右方に突出している。また、当該ロック突起部３２は右側の凸状係合部３１の後面につながっている。
【００３３】
一方、受信送電装置２１において、枠形突出部３３は、図５に示すように、ケーシング２２の前面２３Ａから突出し、前面視略Ｕ字状に形成されている。詳細には、枠形突出部３３は、ケーシング２２の前面２３Ａの左側の縁部から前方へ突出して上下方向に伸長する左枠部３３Ａと、ケーシング２２の前面２３Ａの右側の縁部から前方へ突出して上下方向にそれぞれ伸長する右枠部３３Ｂと、ケーシング２２の前面２３Ａの下部から前方へ突出し、下方に突出するように湾曲し、左枠部３３Ａおよび右枠部３３Ｂのそれぞれの下端部を連結する下枠部３３Ｃとを備えている。
【００３４】
また、一方の溝３４は、図６に示すように、枠形突出部３３の左枠部３３Ａの内向きの面、すなわち右面に形成され、左方に開口している。他方の溝３４は、枠形突出部３３の右枠部３３Ｂの内向きの面、すなわち左面に形成され、右方に開口している。また、各溝３４は上下方向に伸長している。また、各溝３４の上端部は上方に開口しており、その部分が、凸状係合部３１を挿入する挿入部３４Ａとなっている。一方、各溝３４の下端部は閉じている。また、図７に示すように、各溝３４の後ろ側の内面は前面２３Ａと平行に伸長している。一方、各溝３４の前側の内面は下方に向かうに連れて後方に向かうように緩やかに傾斜しており、これにより、各溝３４の幅（前後方向の長さ）は下方に向かうに連れて漸次小さくなっている。また、各溝３４の幅、長さ、深さおよび形状は、各凸状係合部３１の幅、長さ、高さおよび形状と一致している。厳密には、各凸状係合部３１が各溝３４に円滑に、しかしぴったりと入るように、各溝３４の幅および深さは、各凸状係合部３１の幅および高さよりも若干大きく設定されている。
【００３５】
また、一方のロック凹部３５は、図５または図７に示すように、枠形突出部３３の左枠部３３Ａの右面の前上部に形成され、左側の溝３４につながっている。また、他方のロック凹部３５は、枠形突出部３３の右枠部３３Ｂの左面の前上部に形成され、右側の溝３４につながっている。
【００３６】
図８は送信受電装置１１が受信送電装置２１に結合される様子を示している。送信受電装置１１を受信送電装置２１に結合するとき、利用者は、まず、送信受電装置１１のケーシング１２の把持部１５を手で把持し、送信受電装置１１のケーシング１２の前面１３Ａを受信送電装置２１側に向け、送信受電装置１１の前下部を、受信送電装置２１の枠形突出部３３の左枠部３３Ａと右枠部３３Ｂとの間に上方から入れる。このとき、送信受電装置１１のケーシング１２の下部は下方に突出するように湾曲しているので、利用者は送信受電装置１１を枠形突出部３３にぶつけることなく、送信受電装置１１の前部を枠形突出部３３内に入れることができる。
【００３７】
続いて、利用者が送信受電装置１１を下方へ移動させると、各凸状係合部３１が各溝３４内へ上方から入る。このとき、各凸状係合部３１の下端部の幅は、各溝３４の上端部の幅よりも小さいので、各凸状係合部３１は各溝３４内へ円滑に入る。
【００３８】
続いて、利用者が送信受電装置１１をさらに下方へスライド移動させていくと、送信受電装置１１のケーシング１２の前面１３Ａが、受信送電装置２１のケーシング２２の前面２３Ａに接近する。すなわち、送信受電装置１１において各凸状係合部３１の後ろ向きの面が下方に向かうに連れて前方に向かうように緩やかに傾斜し、かつ、受信送電装置２１において各溝３４の前側の内面が下方に向かうに連れて後方に向かうように緩やかに傾斜している。このため、各凸状係合部３１が各溝３４内に入った状態で送信受電装置１１が受信送電装置２１に対して下方に移動すると、各凸状係合部３１の上記後ろ向き面が各溝３４の上記前側の内面に押され、送信受電装置１１のケーシング１２の前面が、受信送電装置２１のケーシング２２の前面に接近する。
【００３９】
続いて、送信受電装置１１のケーシング１２の前面１３Ａに形成された信号送出領域Ｓｔおよび電力受取領域Ｐｒの位置が、送信受電装置１１のケーシング２２の前面２３Ａに形成された信号受取領域Ｓｒおよび電力送出領域Ｐｔの位置にそれぞれ一致したとき、各ロック突起部３２が各ロック凹部３５に係合すると同時に、送信受電装置１１のケーシング１２の湾曲した前下部が、枠形突出部３３の湾曲した下枠部３３Ｃに当たる。これにより、送信受電装置１１の下方への移動が止められる。このとき、送信受電装置１１のケーシング１２の前面１３Ａと、受信送電装置２１のケーシング２２の前面２３Ａとは互いに接触する（または互いに極めて接近する）。
【００４０】
その後、各凸状係合部３１および各溝３４の係合、および各ロック突起部３２および各ロック凹部３５の係合により、送信受電装置１１と受信送電装置２１は、ケーシング１２の前面１３Ａとケーシング２２の前面２３Ａとが互いに接触（または極めて接近）し、信号送出領域Ｓｔの位置と信号受取領域Ｓｒの位置とが一致し、かつ電力送出領域Ｐｔの位置と電力受取領域Ｐｒの位置とが一致した状態で保持される。
【００４１】
なお、その後、利用者は、送信受電装置１１の把持部１５を持ち、適度な力を加えて送信受電装置１１を上方へ押すことにより、各ロック突起部３２と各ロック凹部３５との係合を解除することができ、送信受電装置１１を受信送電装置２１から外すことができる。
【００４２】
（回路構成）
図９は非接触伝達システム１の回路構成を示している。図９において、血流脈波センサから出力された複数のアナログ信号は、送信受電装置１１の送信回路部４１のＡ／Ｄコンバータ４２（アナログ−デジタルコンバータ）によってデジタル信号にそれぞれ変換され、非同期送受信回路４３により１個のデジタル信号にパラレル−シリアル変換される。そして、パラレル−シリアル変換されたデジタル信号は、Ｅ／Ｏコンバータ４４（電気−光コンバータ）により光信号に変換され、発光素子４５により送信受電装置１１の前方に向かって出射される。送信受電装置１１が受信送電装置２１に上述したように結合された状態では、発光素子４５により放たれた光信号は、受信送電装置２１の受信回路部４６の受光素子４７に入射する。受光素子４７に入射した光信号は、Ｏ／Ｅコンバータ４８（光−電気コンバータ）により電気信号に変換され、非同期送受信回路４９によりシリアル−パラレル変換され、ＵＳＢ（ユニバーサルシリアルバス）インタフェース５０を介して解析装置に出力される。
【００４３】
一方、直流電源装置から供給された電力としての直流電流は、受信送電装置２１の送電回路部５１のＤＣ／ＡＣコンバータ５２により交流電流に変換され、送電コイル５３に供給される。これにより、送電コイル５３によって磁界が形成される。送信受電装置１１が受信送電装置２１に結合された状態では、送電コイル５３により形成された磁界の磁束が送信受電装置１１の受電回路部５４の受電コイル５５を通り、受電コイル５５に誘導電流が流れる。この電流は、ＡＣ／ＤＣコンバータ５６（交流−直流コンバータ）により直流電流に変換され、ＤＣ／ＤＣコンバータ５７（直流−直流コンバータまたは電圧変換回路）により、電圧が所定の電圧に変換され、血流脈波センサの電源へ供給される。
【００４４】
以上説明した通り、本発明の実施形態の非接触伝達システム１によれば、送信受電装置１１のケーシング１２の前面１３Ａと、受信送電装置２１のケーシング２２の前面２３Ａとを互いに向かい合わせ、各凸状係合部３１と各溝３４との係合により送信受電装置１１と受信送電装置２１とを結合する構成とした。各ケーシング１２、２２の前面１３Ａ、２３Ａはそれぞれ外部に開放されており、これら前面１３Ａ、２３Ａの前方は閉塞されておらず、外部に臨んでいる。また、各凸状係合部３１も各面が外部に臨んでいる。さらに、各溝３４は、外部に開口しており、また、各溝３４は、各凸状係合部３１と係合して送信受電装置１１と受信送電装置２１との結合を保持できればよいため、さほど深い溝ではない。また、送信受電装置１１にも受信送電装置２１にも、上述した従来の非接触コネクタのレセプタクルのようにプラグを挿入して嵌合して挿入する穴がない。また、送信受電装置１１も受信送電装置２１も、送信受電装置１１および受信送電装置２１の一方が他方のケーシングを全周に亘って包囲する構造を有していない。したがって、送信受電装置１１および受信送電装置２１を汚れ難くし、または洗浄性を高めることができる。例えば、送信受電装置１１においても、受信送電装置２１においても、塵や埃が蓄積され難い。また、ケーシング１２、２２の前面に塵や埃が付着しても、それらを手や指で簡単に払い除けることができ、溝３４内に塵が入っても、塵を布等で拭き取って簡単に除去することができる。また、ケーシング１２、２２の前面に汚れが付着しても、布等で簡単に拭き取ることができる。また、送信受電装置１１においても、受信送電装置２１においても、水等の液体が貯まる箇所がないため、送信受電装置１１および受信送電装置２１の防水性能を高めることができる。
【００４５】
また、送信受電装置１１のケーシング１２には把持部１５が形成され、送信受電装置１１を受信送電装置２１に結合した状態で把持部１５のほぼ全体が外部に露出している。したがって、把持部１５を持つことにより、送信受電装置１１の受信送電装置２１に対する着脱を容易に行うことができる。
【００４６】
また、送信受電装置１１および受信送電装置２１の双方とも上下方向に長い縦長の形状を有しており、かつ、図８に示すように、送信受電装置１１を立てた状態で受信送電装置２１の枠形突出部３３内に挿入して受信送電装置２１と結合させる構成を有している。この結果、送信受電装置１１を横に寝かせた状態では、送信受電装置１１を受信送電装置２１の枠形突出部３３内に入れることができない。したがって、送信受電装置１１が誤った姿勢で受信送電装置２１に結合されることを防止することができる。
【００４７】
また、送信受電装置１１の各凸状係合部３１の幅、および受信送電装置２１の各溝３４の幅はいずれも下方に向かうに連れて小さくなっている。この結果、各凸状係合部３１の下端部を各溝３４の上端部から挿入した場合には各凸状係合部３１の下端部が各溝３４の下端部に到達することができるので、送信受電装置１１と受信送電装置２１とを正しく結合することができる。しかし、各凸状係合部３１の上端部を各溝の上端部から挿入した場合には、各凸状係合部３１が各溝３４の途中で引っ掛かるため、各凸状係合部３１の上端部が各溝３４の下端部へ到達することはなく、それゆえ送信受電装置１１と受信送電装置２１との結合を完結することができない。これにより、利用者が送信受電装置１１を上下逆にした状態で、受信送電装置２１へ誤って結合してしまうことを防止することができる。
【００４８】
また、送信受電装置１１において各凸状係合部３１の後ろ向きの面が下方に向かうに連れて前方に向かうように緩やかに傾斜し、かつ、受信送電装置２１において各溝３４の前側の内面が下方に向かうに連れて後方に向かうように緩やかに傾斜している。これにより、結合時に送信受電装置１１のケーシング１２の前面１３Ａと受信送電装置２１のケーシング２２の前面２３Ａとを互いに接触またはきわめて接近させることができ、両装置間で電力を伝達するための磁界が外部に漏れることを抑制することができる。
【００４９】
また、送信受電装置１１から受信送電装置２１への電力の非接触の伝達を電磁誘導により行い、信号の非接触の伝達を光により行うこととしたから、電力の伝達において生じるクロストークにより信号にノイズが乗ることを防止することができる。したがって、電力および信号の伝達の双方を電磁誘導で行う場合と比較して、信号を正しく確実に伝達することができる。
【００５０】
なお、上述した実施形態では、受信送電装置２１の枠形突出部３３に、左枠部３３Ａおよび右枠部３３Ｂのそれぞれの下端部を連結する下枠部３３Ｃと設けたが、下枠部３３Ｃはなくてもよい。もっとも、この場合には、結合時に送信受電装置１１を下方へスライド移動させたときに、送信受電装置１１が下方へ移動しすぎないようにするために、ロック機構の係合を強化するか、送信受電装置１１の下方への移動を規制する別の構造を追加することが好ましい。
【００５１】
また、上述した実施形態では、結合時に送信受電装置１１を受信送電装置２１に対して下方へスライド移動させる場合を例にあげたが、送信受電装置１１を受信送電装置２１に対して上方、左方または右方へスライド移動させる構成としてもよい。
【００５２】
また、上述した実施形態では、各凸状係合部３１および各ロック突起部３２を送信受電装置１１に設け、枠形突出部３３、各溝３４および各ロック凹部３５を受信送電装置２１に設ける場合を例にあげたが、各凸状係合部３１および各ロック突起部３２を受信送電装置２１に設け、枠形突出部３３、各溝３４および各ロック凹部３５を送信受電装置１１に設けてもよい。
【００５３】
また、上述した実施形態における送信受電装置１１では、ケーシング１２内において上部に送信回路部４１を配置し、下部に受電回路部５４を配置したが、これら配置は上下逆でもよい。受信送電装置２１における受信回路部４６と送電回路部５１の配置についても同様である。
【００５４】
また、上述した実施形態の非接触伝達システム１では、第１の装置から第２の装置へ信号を送り、第２の装置から第１の装置へ電力を送る構成を例にあげたが、第１の装置から信号および電力を第２の装置へ送る構成としてもよい。
【００５５】
また、本発明は、上述した実施形態のように、信号の非接触の伝達を光で行い、電力の非接触の伝達を電磁誘導で行う非接触伝達システムに限らず、信号の非接触の伝達および電力の非接触の伝達をいずれも電磁誘導で行う非接触伝達システムにも適用することができる。また、本発明は、信号および電力のいずれか一方の非接触伝達のみを行う非接触伝達システムにも適用することができる。
【００５６】
また、本発明は、信号または電力の伝達を非接触で行うことが求められる種々の装置ないしシステムに広く適用することができる。
【００５７】
また、本発明は、請求の範囲および明細書全体から読み取ることのできる発明の要旨または思想に反しない範囲で適宜変更可能であり、そのような変更を伴う非接触伝達システム、送出装置および受取装置もまた本発明の技術思想に含まれる。
【符号の説明】
【００５８】
１  非接触伝達システム
１１  送信受電装置
１２  ケーシング
１３Ａ  前面
２１  受信送電装置
２２  ケーシング
２３Ａ  前面
３１  凸状係合部（第１の係合部）
３２  ロック突起部
３３  枠形突出部
３３Ａ  左枠部（第２の係合部）
３３Ｂ  右枠部（第２の係合部）
３４  溝
３５  ロック凹部
４１  送信回路部（出力回路部）
４６  受信回路部（入力回路部）
５１  送電回路部（出力回路部）
５４  受電回路部（入力回路部）
Ｐｔ  電力送出領域
Ｐｒ  電力受取領域
Ｓｔ  信号送出領域
Ｓｒ  信号受取領域
【図１】
2018046610.tif 000003
【図２】
2018046610.tif 000004
【図３】
2018046610.tif 000005
【図４】
2018046610.tif 000006
【図５】
2018046610.tif 000007
【図６】
2018046610.tif 000008
【図７】
2018046610.tif 000009
【図８】
2018046610.tif 000010
【図９】
2018046610.tif 000011